(57)【要約】【課題】端子金具の不用意な抜け出しを防止する。【解決手段】コネクタは、筒状の本体部８１を有するとともに、本体部８１から外側へ突成されるスタビライザ８４を有する端子金具８０と、端子金具８０が挿入されるキャビティ１２を有するとともに、キャビティ１２に沿って延びてスタビライザ８４が挿入される案内溝１４を有し、かつキャビティ１２の内壁に突成されてキャビティ１２内に正規挿入された端子金具８０のスタビライザ８４を弾性的に係止するランス２１を有するコネクタハウジング１０とを備える。スタビライザ８４は本体部８１に対をなして形成され、ランス２１は対をなすスタビライザ８４のそれぞれを係止する位置に形成されている。【選択図】図１
2011018543.tif 000002
【特許請求の範囲】
【請求項１】
筒状の本体部を有するとともに、前記本体部から外側へ突成されるスタビライザを有する端子金具と、
前記端子金具が挿入されるキャビティを有するとともに、前記キャビティに沿って延びて前記スタビライザが挿入される案内溝を有し、かつ前記キャビティの内壁に突成されて前記キャビティ内に正規挿入された前記端子金具の前記スタビライザを弾性的に係止するランスを有するコネクタハウジングとを備えたコネクタであって、
前記スタビライザは、前記本体部に対をなして形成され、
前記ランスは、前記対をなす前記スタビライザのそれぞれを係止する位置に形成されていることを特徴とするコネクタ。
【請求項２】
前記キャビティは前記コネクタハウジングにおける隔壁を挟んで幅方向に複数並列に配置され、前記隔壁の端部には空間部が切り欠いて形成され、前記ランスは、前記空間部を跨ぎつつ前記幅方向に隣接する両キャビティ内に進入する形態とされ、その幅方向両側に前記スタビライザを係止する係止面を有していることを特徴とする請求項１記載のコネクタ。
【発明の詳細な説明】
【技術分野】
【０００１】
本発明は、コネクタに関する。
【背景技術】
【０００２】
特許文献１には従来のコネクタが開示されている。このものは、合成樹脂製のコネクタハウジングと、導電金属製の端子金具とを備えている。端子金具は筒状の本体部を有し、本体部にはスタビライザが曲げ起こして形成されている。一方、コネクタハウジングは、前後方向に延びるキャビティを有するとともに、キャビティに沿って延びる案内溝を有し、かつキャビティの内壁に突成された撓み可能なランスを有している。キャビティ内には後方から端子金具が挿入され、正規挿入された端子金具のスタビライザにはランスが弾性的に係止され、これによって端子金具がキャビティ内に抜け規制状態に保持される。
【先行技術文献】
【特許文献】
【０００３】
【特許文献１】特開２００３−６８３８５号公報
【発明の概要】
【発明が解決しようとする課題】
【０００４】
ところで、上記従来の構成では、端子金具に対し後方への強い引っ張り力が作用したときに、ランスが係止解除方向に撓み変形して、端子金具がキャビティ内から不用意に抜け出るおそれがあった。
本発明は上記のような事情に基づいて完成されたものであって、端子金具の不用意な抜け出しを防止することを目的とする。
【課題を解決するための手段】
【０００５】
上記の目的を達成するための手段として、請求項１の発明は、筒状の本体部を有するとともに、前記本体部から外側へ突成されるスタビライザを有する端子金具と、前記端子金具が挿入されるキャビティを有するとともに、前記キャビティに沿って延びて前記スタビライザが挿入される案内溝を有し、かつ前記キャビティの内壁に突成されて前記キャビティ内に正規挿入された前記端子金具の前記スタビライザを弾性的に係止するランスを有するコネクタハウジングとを備えたコネクタであって、前記スタビライザは、前記本体部に対をなして形成され、前記ランスは、前記対をなす前記スタビライザのそれぞれを係止する位置に形成されているところに特徴を有する。
【０００６】
請求項２の発明は、請求項１に記載のものにおいて、前記キャビティは前記コネクタハウジングにおける隔壁を挟んで幅方向に複数並列に配置され、前記隔壁の端部には空間部が切り欠いて形成され、前記ランスは、前記空間部を跨ぎつつ前記幅方向に隣接する両キャビティ内に進入する形態とされ、その幅方向両側に前記スタビライザを係止する係止面を有しているところに特徴を有する。
【発明の効果】
【０００７】
＜請求項１の発明＞
ランスが対をなすスタビライザのそれぞれを係止する位置に形成されているから、１つの端子金具が２つのランスによって係止されることとなり、端子金具への保持力が高められる。また、２つのランスのうちのいずれか一方のランスが係止解除方向に撓み変形しても、他方のランスが端子金具との係止状態を保つことができる。したがって、本発明によれば、端子金具の不用意な抜け出しを防止したコネクタが提供される。
【０００８】
＜請求項２の発明＞
ランスが空間部を跨ぎつつ幅方向に隣接する両キャビティ内に進入する形態とされ、隣接する両キャビティ内に挿入される端子金具同士でランスが共用されるため、ランスの形態を簡素化できるとともに、省スペース性を向上させることができる。
【図面の簡単な説明】
【０００９】
【図１】本発明の実施形態１に係るコネクタの正面から見た要部拡大断面図である。
【図２】コネクタの側方からの見た断面図である。
【図３】コネクタの斜視図である。
【図４】ランスの拡大斜視図である。
【発明を実施するための形態】
【００１０】
＜実施形態１＞
本発明の実施形態１を図１ないし図４によって説明する。実施形態１に係るコネクタは、コネクタハウジング１０、リテーナ６０、及び端子金具８０を備えている。コネクタハウジング１０は図示しない相手コネクタハウジングに嵌合可能とされ、嵌合に伴って相手コネクタハウジングに装着された図示しない相手端子に端子金具８０が電気的に接続される。なお、以下の説明において前後方向については、コネクタハウジング１０の嵌合面側を前方とする。
【００１１】
端子金具８０は導電性の金属板を曲げ加工等して一体に成形され、図２に示すように、角筒状の本体部８１と、本体部８１の後方に連成されるバレル部８２、８３とを有し、全体として前後方向に細長い形態をなしている。バレル部８２、８３は、前方に位置して被覆電線９０の端末部に露出された芯線９２にかしめ付けられるオープンバレル状のワイヤバレル８２と、後方に位置して被覆電線９０の端末部における絶縁被覆９１にかしめ付けられるオープンバレル状のインシュレーションバレル８３とからなる。本体部８１内には、前方から相手端子金具のタブが挿入されて接続される。
【００１２】
本体部８１の底壁の幅方向両側部には、図１にも示すように、前後方向に細長く延びる一対のスタビライザ８４が曲げ起こして形成されている。両スタビライザ８４は、それぞれ、本体部８１の側壁の下端から下方へ延びる第１片８５と、第１片８６の下端から折り返されて上方へ延びる第２片８６とからなり、第１、第２片８５、８６が互いに密着重ねされた形態とされている。また、両スタビライザ８４は、互いに同形状であって、本体部８１の幅方向中央を挟んで互いに対称な形状をなしている。両スタビライザ８４の後端は略垂直に切り立って配置され、ここが後述するランス２１によって係止される被係止面８７とされている。
【００１３】
コネクタハウジング１０は合成樹脂製であって、図３に示すように、全体としてブロック状をなし、その上面には、前端から後方へ向けて片持ち状に延びるロックアーム１１が形成されている。コネクタハウジング１０が相手コネクタハウジングに正規嵌合されると、ロックアーム１１が相手コネクタハウジングを弾性的に係止し、これによって両コネクタハウジングが離脱規制状態に保持される。
【００１４】
コネクタハウジング１０の内部には、前後方向に延びるキャビティ１２が形成されている。キャビティ１２は、図１に示すように、隔壁１３を挟んで幅方向に複数整列して配置され、各キャビティ１２内には後方から端子金具８０が挿入される。また、コネクタハウジング１０の内部には、各キャビティ１２の幅方向両側部に沿って同キャビティ１２と連通しつつ延びる案内溝１４が形成されている（図４を参照）。キャビティ１２内に端子金具８０が挿入される過程では、両案内溝１４に一対のスタビライザ８４が嵌合され、これによって端子金具８０のキャビティ１２内への挿入動作が案内されるとともに、端子金具８０のキャビティ１２内への誤挿入が阻止される。
【００１５】
コネクタハウジング１０の両側面には、図３に示すように、周囲よりも一段落ちた位置に、リテーナ６０に係止されるロック突起１５が形成されている。また、コネクタハウジング１０の下面には、リテーナ６０が挿入される装着孔１６が全キャビティ１２に通じるように開口して形成されている（図２を参照）。
リテーナ６０は同じく合成樹脂製であって、連結板６１とその幅方向両側から立ち上がる一対の側板６２とを有している。両側板６２の先端部には、ロック爪６３が内向きに突出して形成されている。また、連結板６１には、端子金具８０を係止可能な複数の抜止部６４が各キャビティ１２と対応する位置毎に並んで形成されている。かかるリテーナ６０は、キャビティ１２内への端子金具８０の挿抜を許容する仮係止位置と、正規挿入された端子金具８０の本体部８１の後端に抜止部６４が対峙する本係止位置とに移動可能とされ、ロック爪６３とロック突起１５との係止作用によって両位置に保持される。
【００１６】
さて、コネクタハウジング１０におけるキャビティ１２の内壁には、図４に示すように、端子金具８０を係止する撓み可能なランス２１が形成されている。ランス２１はその撓み動作の支点となる基端から前方へ向けて片持ち状に突出する形態とされている。
ここで、コネクタハウジング１０において幅方向に隣接する両キャビティ１２間を仕切る隔壁１３には、ランス２１の基端よりも前方に、空間部１８が切り欠いて形成されている。ランス２１の幅方向中央部には、空間部１８によって画成されつつ隔壁１３の一部を構成するランス本体２２が形成されている。ランス本体２２の上面は自然状態では前後方向に真直ぐ延びるフラット面とされている。
【００１７】
一方、ランス２１の幅方向両側部には、ランス本体２２を挟んだ両側に、一対の係止部２３がキャビティ１２内に進入して形成されている。両係止部２３の後面は、それぞれ、隔壁１３を挟んで対向する案内溝１４の溝面から前方へ向けて次第にキャビティ１２内へ突出するように傾斜するテーパ状の案内斜面２４とされている。案内斜面２４の下端はランス本体２２の上面よりも下方に配置され、案内斜面２４の上端はランス本体２２の上面よりも上方に配置されている。
両係止部２３の前面は端子金具８０を係止する際にスタビライザ８４の被係止面８７に対峙する係止面２５とされ、ランス本体２２の前面を挟んだ両側に対をなして配置されている。両係止部２３の係止面２５は、ランス本体２２の前面に面一で連なるとともに、ランス本体２２の前面よりも一段高くされている。
【００１８】
次に、本実施形態のコネクタの作用を説明する。
リテーナ６０を仮係止位置に留め置き、その状態でコネクタハウジング１０のキャビティ１２内に後方から端子金具８０を挿入する。挿入の過程では、両スタビライザ８４がキャビティ１２の幅方向両側に位置する案内溝１４を摺動し、挿入の終盤では、両スタビライザ８４が幅方向に隣接するランス２１の案内斜面２４を摺動して両ランス２１を下方へ撓み変形させる。キャビティ１２内に端子金具８０が正規挿入されると、両ランス２１がほぼ同時に弾性復帰して、スタビライザ８４の被係止面８７に後方から両ランス２１の係止面２５が係止可能に配置され、もって端子金具８０が両ランス２１によってキャビティ１２内に一次的に抜け止めされる。
【００１９】
全ての端子金具８０の挿入作業を終えたら、続いて、リテーナ６０を本係止位置に押し込む。リテーナ６０が本係止位置に至ると、端子金具８０の本体部８１に後方からリテーナ６０の抜止部６４が係止可能に配置され、もって端子金具８０がリテーナ６０によってキャビティ１２内に二次的に抜け止めされる。
【００２０】
以上説明したように、本実施形態によれば、リテーナ６０が本係止位置に至る前の状態においても、１つの端子金具８０が２つのランス２１によって係止されるから、端子金具８０への保持力が高められ、端子金具８０がキャビティ１２内から不用意に抜け出るのが防止される。この場合、仮に、２つのランス２１のうちのいずれか１つのランス２１が係止解除方向に偶発的に撓み変形しても、残りのランス２１が端子金具８０との係止状態を保つことができるため、ランス２１の保持信頼性が向上する。
また、スタビライザ８４にランス２１が係止するため、端子金具８０とランス２１との係止代を大きく確保することができるとともに、本体部８１の後端にはリテーナ６０の抜止部６４を支障なく係止させることができる。
【００２１】
さらに、ランス２１が空間部１８を跨ぎつつ幅方向に隣接する両キャビティ１２内に進入する形態とされ、隣接する両キャビティ１２内に挿入される端子金具８０同士でランス２１が共用されるため、端子金具８０毎に２つのランス２１が個別に形成されるよりも、ランス２１の形態を簡素化できるとともに、省スペース性を向上させることができる。
【００２２】
＜他の実施形態＞
本発明は上記記述及び図面によって説明した実施形態に限定されるものではなく、例えば次のような実施形態も本発明の技術的範囲に含まれる。
（１）ランスは、二股に分岐された一対の弾性片を有し、両弾性片の先端部に隔壁を挟んで隣接する両キャビティ内にそれぞれ突出する係止部が形成されるものであってもよい。こうすると、端子金具のキャビティ内への挿入過程で、両弾性片が互いに独立して撓み変形することができる。
（２）端子金具は、筒状の本体部と本体部の前端から前方へ突出するタブとを有する雄端子金具であってもよい。
（３）スタビライザは本体部の壁面に対する外側への叩き出しによって形成されるものであってもよい。
（４）スタビライザは第１、第２片部間に空間部を保有する形態であってもよい。
【符号の説明】
【００２３】
１０…コネクタハウジング
１２…キャビティ
１３…隔壁
１４…案内溝
１８…空間部
２１…ランス
２５…係止面
８０…端子金具
８１…本体部
８４…スタビライザ
【図１】
2011018543.tif 000003
【図２】
2011018543.tif 000004
【図３】
2011018543.tif 000005
【図４】
2011018543.tif 000006